(57)【要約】【課題】  温風運転時の暖房効率を高め、加湿フィルタに関する品質向上とコストダウンとを実現させる。【解決手段】  加湿フィルタ２８は、その底面に加湿フィルタ用フロート２９を取り付け固定されると共に、加湿トレイ３０上部に設けられた貫通孔３０aに挿通されて加湿トレイ３０内に設置される。こうすることによって、温風運転時には、加湿トレイ３０内の水を抜いて加湿フィルタ２８を加湿トレイ３０内に収納することができる。したがって、温風通風路２６内の通風抵抗が減少し、暖房効率を向上できる。また、粉末状の水アカが本体外に飛散することを防止できると共に、加湿フィルタ２８の材質を耐熱仕様にする必要がなくコストを削減できる。【選択図】  図１
2005055027.tif 000002
【特許請求の範囲】
【請求項１】
水を貯める水受け皿と、この水受け皿内の水が供給される加湿フィルタと、ヒータと、このヒータで加熱された温風を送風する送風ファンとを含んで構成された加湿機能付き温風機において、
上記加湿フィルタは移動可能に構成されていることを特徴とする加湿機能付き温風機。
【請求項２】
水を貯める水受け皿と、この水受け皿内の水が供給される加湿フィルタと、ヒータと、このヒータで加熱された温風を送風する送風ファンとを含んで構成された加湿機能付き温風機において、
上記送風ファンによって送風される温風が通る温風通風路を備えると共に、
上記加湿フィルタは移動可能に構成されており、最上位に位置する場合には少なくとも大部分が上記温風通風路内に在る一方、最下位に位置する場合には少なくとも大部分が上記水受け皿内に在るようになっている
ことを特徴とする加湿機能付き温風機。
【請求項３】
請求項２に記載の加湿機能付き温風機において、
上記加湿フィルタの下部に取り付けられて浮力を発生するフロートを備えると共に、
上記加湿フィルタの少なくとも一部は、上記水受け皿に貯められた水に浸るように構成されており、
上記加湿フィルタは、上記水受け皿に貯められた水の水面の高さに応じて上記水受け皿内から上記温風通風路内に出没可能になっている
ことを特徴とする加湿機能付き温風機。
【請求項４】
請求項２に記載の加湿機能付き温風機において、
上記加湿フィルタを強制的に垂直方向に移動させるフィルタ移動部を備えたことを特徴とする加湿機能付き温風機。
【請求項５】
請求項４に記載の加湿機能付き温風機において、
上記フィルタ移動部は、上記加湿フィルタを垂直方向に複数段階に移動させるようになっていることを特徴とする加湿機能付き温風機。
【請求項６】
請求項５に記載の加湿機能付き温風機において、
加湿の対象となる部屋の湿度を検出する湿度センサを備えると共に、
上記フィルタ移動部は、
加湿を行わずに温風のみを放出させる場合には、上記加湿フィルタを上記最下位に位置させて上記温風通風路内には出ないようにする一方、
加湿を行いつつ温風を放出させる場合には、上記湿度センサによって検出された湿度に応じて、上記加湿フィルタの移動量を設定する
ように構成されていることを特徴とする加湿機能付き温風機。
【請求項７】
請求項４に記載の加湿機能付き温風機において、
上記フィルタ移動部は、上記水受け皿の水位が所定値以下の場合には動作を停止すると共に、上記加湿フィルタを上記最下位に位置させるように構成されていることを特徴とする加湿機能付き温風機。
【請求項８】
請求項２に記載の加湿機能付き温風機において、
上記加湿フィルタは、加湿を行わずに温風のみを放出させる場合には、上記最下位に位置して上記温風通風路内には出ないように構成されていることを特徴とする加湿機能付き温風機。
【発明の詳細な説明】
【技術分野】
【０００１】
この発明は、一般家庭で使用される加湿機能を搭載した加湿機能付き温風機に関する。
【背景技術】
【０００２】
従来、この種の加湿機能付き温風機として、図８および図９に示すようなものがある(例えば、特許文献１参照)。以下、その構成について、図８および図９を参照しながら説明する。加湿機能付き温風機は、図８に示すように、室内空気吸込口２,送風ファン３,温風ヒータ４および温風吹出口５からなる温風装置１と、加湿フィルタ７,加湿トレイ８,給水ポンプ９,給水パイプ１０および給水タンク１１からなる加湿装置６とから構成されている。
【０００３】
そして、図９に示すように、上記加湿装置６は送風装置１に対して着脱可能になっており、必要に応じて加湿トレイ８および加湿フィルタ７等を容易に清掃することが可能な構成になっている。尚、加湿フィルタ７は、吸湿性の良い繊維質の材料によって構成されている。
【０００４】
上記構成を有する加湿機能付き温風機は、次のように動作する。先ず、温風の単独運転を行う温風運転時の動作について、図１０を参照しつつ説明する。尚、図中における破線の矢印は空気の流れの方向を示している。先ず、送風ファン３用のモータと温風ヒータ４とに通電する。そうすると、送風ファン３が回転し、送風ファン３によって室内空気吸込口２から温風通風路内に導かれた室内の空気は、温風ヒータ４によって加熱された後に加湿フィルタ７を通過し、温風吹出口５より室内に放出される。こうして、適度な暖房効果が得られる。その際に、加湿フィルタ７には水分は供給されていないため、室内に放出される温風から加湿効果は得られない。
【０００５】
次に、加湿と温風との併用運転時の動作について、図１１を参照しつつ説明する。尚、図中における破線の矢印は空気の流れの方向を示している。先ず、脱着可能になっている給水タンク１１に加湿用の水を入れ、加湿トレイ８にセットする。これにより、給水タンク１１内の加湿用の水は加湿トレイ８内に流入する。この状態において、送風ファン３用のモータと温風ヒータ４と給水ポンプ９とに通電する。
【０００６】
上記給水ポンプ９によって、加湿トレイ８内の水が給水パイプ１０を経由して加湿フィルタ７に供給されて、適度な量の水が加湿フィルタ７に吸収される。そして、重力によって加湿フィルタ７内を通過した水は、加湿トレイ８内に落下する。これによって、加湿フィルタ７は、常時適度に湿った状態に維持されるのである。また、送風ファン３によって室内空気吸込口２から温風通風路内に導かれた室内空気は、温風ヒータ４によって加熱された後加湿フィルタ７を通過する。その際に、加湿フィルタ７から気化した水分を多く含む湿った空気となり、温風吹出口５から室内に放出される。こうして、適度な暖房効果と加湿効果とが得られるのである。
【０００７】
しかしながら、上記従来の加湿機能付き温風機には以下のような問題がある。すなわち、先ず、上記温風運転の際に、温風の通風経路内に設けられた加湿フィルタ７は常時通風の抵抗となるため、暖房能力低下の原因となるという問題がある。
【０００８】
また、温風運転時に、上記加湿フィルタ７は、水が供給されない状態で温風ヒータ４によって暖められた温風が通過するために高温になる。したがって、加湿フィルタ７のフィルタ材料を耐熱仕様にする必要があり、その選定も困難であると同時にコストアップの要因の１つになるという問題がある。
【０００９】
また、上記加湿フィルタ７の清掃を怠った場合には、フィルタに付着した水アカが温風ヒータ４によって暖められた温風が通過することによって乾燥し、粉末状になって温風吹出口５から温風と一緒に室内に放出されるという問題がある。
【００１０】
【特許文献１】特開２００３‐１４２６１号公報
【発明の開示】
【発明が解決しようとする課題】
【００１１】
そこで、この発明の課題は、温風単独運転時の暖房効率を高めると共に、加湿フィルタに関する品質向上とコストダウンとを実現させることが可能な加湿機能付き温風機を提供することにある。
【課題を解決するための手段】
【００１２】
上記課題を解決するため、この発明の加湿機能付き温風機は、水を貯める水受け皿と、この水受け皿内の水が供給される加湿フィルタと、ヒータと、このヒータで加熱された温風を送風する送風ファンとを含んで構成されており、上記加湿フィルタは移動可能に構成されている。
【００１３】
上記構成によれば、上記加湿フィルタは移動可能になっている。したがって、例えば、上記加湿フィルタを、温風の単独運転を行う温風運転時においては上記送風ファンによって送風される温風が通る温風通風路内に位置させる一方、加湿と暖房との併用運転時においては上記温風通風路外に位置させることが可能になる。
【００１４】
したがって、その場合には、上記温風運転時において、上記加湿フィルタによる通風抵抗が減少して暖房効率が向上すると共に、上記加湿フィルタに付着している水アカの飛散が防止される。さらに、上記加湿フィルタを耐熱仕様にする必要がなく、コストが削減される。また、上記併用運転時において、上記加湿フィルタに水を供給することによって、適度な加湿効果が得られる。
【００１５】
また、この発明の加湿機能付き温風機は、水を貯める水受け皿と、この水受け皿内の水が供給される加湿フィルタと、ヒータと、このヒータで加熱された温風を送風する送風ファンとを含んで構成されており、上記送風ファンによって送風される温風が通る温風通風路を備えると共に、上記加湿フィルタは移動可能に構成されており,最上位に位置する場合には少なくとも大部分が上記温風通風路内に在る一方,最下位に位置する場合には少なくとも大部分が上記水受け皿内に在るようになっている。
【００１６】
上記構成によれば、温風の単独運転を行う温風運転時においては、上記加湿フィルタを最下位に位置させて少なくとも大部分が上記水受け皿内に在るようにすれば、上記加湿フィルタは温風通風路内に存在することはない。したがって、上記温風通風路内における通風抵抗が減少して暖房効率が向上し、上記加湿フィルタに付着している粉末状の水アカが飛散することも防止される。さらに、上記加湿フィルタは、温風の影響を受けることがない。したがって、耐熱仕様にする必要がなく、コストが削減される。
【００１７】
一方、加湿と暖房との併用運転時においては、上記加湿フィルタを最上位に位置させて少なくとも大部分が上記温風通風路内に在るようにすると共に、上記加湿フィルタに上記水受け皿から水を供給するようにすれば、上記加湿フィルタから気化した水分を多く含む湿った温風が放出されて、適度な暖房効果と加湿効果とが得られる。
【００１８】
また、１実施例の加湿機能付き温風機では、上記加湿フィルタの下部に取り付けられて浮力を発生するフロートを備えると共に、上記加湿フィルタの少なくとも一部は上記水受け皿に貯められた水に浸るように構成されており、上記加湿フィルタは,上記水受け皿に貯められた水の水面の高さに応じて上記水受け皿内から上記温風通風路内に出没可能になっている。
【００１９】
この実施例によれば、上記水受け皿内に水が貯められると共に、上記加湿フィルタが繊維質で構成されている場合には、上記加湿フィルタは、上記フロートに作用する浮力によって水面上に浮かび、上記水受け皿内の水位に応じて上記温風通風路内に突出する。それと同時に、毛管現象によって上記水受け皿内の水を吸い上げる。こうして、上記加湿フィルタから気化した水分を多く含む湿った温風によって、適度な暖房効果と加湿効果とが得られる。
【００２０】
一方、上記水受け皿内に水が貯められていない場合には、上記フロートに浮力は発生せず、上記加湿フィルタは上記水受け皿内に位置して上記温風通風路内に突出することがない。したがって、上記温風通風路内における通風抵抗が減少して暖房効率が向上し、上記加湿フィルタに付着している粉末状の水アカが飛散することが防止され、上記加湿フィルタを耐熱仕様にする必要がなくコストが削減される。
【００２１】
また、１実施例の加湿機能付き温風機では、上記加湿フィルタを強制的に垂直方向に移動させるフィルタ移動部を備えている。
【００２２】
この実施例によれば、上記水受け皿内に水が貯められているか否かに拘らず、上記温風運転時には上記加湿フィルタを水受け皿内に位置させる一方、上記加湿と暖房との併用運転時には上記加湿フィルタを温風通風路内に位置させることが可能になる。したがって、上記温風運転時および加湿と暖房との併用運転時によって、上記水受け皿から水を排水したり上記水受け皿に水を貯めたりする必要が無くなる。
【００２３】
また、１実施例の加湿機能付き温風機では、上記フィルタ移動部は、上記加湿フィルタを垂直方向に複数段階に移動させるようになっている。
【００２４】
この実施例によれば、上記加湿フィルタの垂直方向の位置によって、上記加湿と暖房との併用運転時における加湿の度合が変更される。
【００２５】
また、１実施例の加湿機能付き温風機では、加湿の対象となる部屋の湿度を検出する湿度センサを備えると共に、上記フィルタ移動部は、加湿を行わずに温風のみを放出させる場合には,上記加湿フィルタを上記最下位に位置させて上記温風通風路内には出ないようにする一方、加湿を行いつつ温風を放出させる場合には,上記湿度センサによって検出された湿度に応じて,上記加湿フィルタの移動量を設定するように構成されている。
【００２６】
この実施例によれば、上記加湿と暖房との併用運転時には、上記湿度センサで検出された湿度に応じて上記加湿フィルタの垂直方向の位置が設定されて、加湿の度合が自動的に設定される。
【００２７】
また、１実施例の加湿機能付き温風機では、上記フィルタ移動部は、上記水受け皿の水位が所定値以下の場合には動作を停止すると共に、上記加湿フィルタを上記最下位に位置させるように構成されている。
【００２８】
この実施例によれば、上記水受け皿の水が少ない場合には、上記加湿フィルタは上記最下位に位置して上記温風通風路内には存在しない。したがって、加湿できないにも拘らず上記加湿フィルタが温風通風路内に在って、通風抵抗が増加することが防止される。さらに、上記加湿フィルタに付着している粉末状の水アカが飛散することも防止され、上記加湿フィルタを耐熱仕様にする必要がなくコストが削減される。
【００２９】
また、１実施例の加湿機能付き温風機では、上記加湿フィルタは、加湿を行わずに温風のみを放出させる場合には、上記最下位に位置して上記温風通風路内には出ないように構成されている。
【００３０】
この実施例によれば、上記温風運転時においては、上記温風通風路内における通風抵抗が減少して暖房効率が向上し、上記加湿フィルタに付着している粉末状の水アカが飛散することも防止される。さらに、上記加湿フィルタは、温風の影響を受けることがない。したがって、耐熱仕様にする必要がなく、コストが削減される。
【発明の効果】
【００３１】
以上より明らかなように、この発明の加湿機能付き温風機は、加湿フィルタを移動可能に構成したので、例えば、上記加湿フィルタを、上記温風運転時には上記温風通風路内に位置させる一方、上記加湿と暖房との併用運転時には上記温風通風路外に位置させることが可能になる。したがって、その場合には、上記温風運転時に、上記温風通風路内における通風抵抗を減少させることができ、暖房効率を向上させることができる。また、上記加湿フィルタに付着している粉末状の水アカが飛散することを防止できる。さらに、上記加湿フィルタは、温風の影響を受けることがない。したがって、耐熱仕様にする必要がなくコストを削減できる。
【００３２】
また、この発明の加湿機能付き温風機は、加湿フィルタを、移動可能、且つ、最下位に位置する場合には少なくとも大部分が上記水受け皿内に在るように構成したので、上記温風運転時に上記加湿フィルタを最下位に位置させることによって、上記温風運転時に、上記温風通風路内における通風抵抗を減少させることができる。したがって、暖房効率を向上させることができる。また、上記加湿フィルタに付着している粉末状の水アカが飛散することを防止できる。さらに、上記加湿フィルタは、温風の影響を受けることがない。したがって、耐熱仕様にする必要がなくコストを削減できる。
【００３３】
また、上記加湿フィルタの下部にフロートを取り付けると共に、上記加湿フィルタの少なくとも一部を上記水受け皿に貯められた水に浸るように構成すれば、上記水受け皿内に水があるか否かに応じて、上記加湿と暖房の併用運転と温風運転とを切り換え行うことができる。さらに、加湿フィルタ給水用のポンプを削減することができる。
【００３４】
また、上記加湿フィルタをフィルタ移動部によって強制的に垂直方向に移動させるようにすれば、上記温風運転時に上記水受け皿から水を排水する一方、上記加湿と暖房との併用運転時には上記水受け皿に水を給水する必要が無くなる。
【発明を実施するための最良の形態】
【００３５】
以下、この発明を図示の実施の形態により詳細に説明する。
【００３６】
・第１実施の形態
図１および図２は、本実施の形態の加湿機能付き温風機における概略構成を示す。
【００３７】
本実施の形態における加湿機能付き温風機は、図１に示すように、室内空気吸込口２２,送風ファン２３,温風ヒータ２４および温風吹出口２５を有する温風装置２１と、加湿フィルタ２８,加湿フィルタ用フロート２９,加湿トレイ３０および給水タンク３１を有する加湿装置２７とから構成される。そして、図２に示すように、加湿装置２７は、温風装置２１に対して着脱可能に構成されており、必要に応じて加湿トレイ３０および加湿フィルタ２８等を容易に清掃することができるようになっている。
【００３８】
また、上記加湿フィルタ２８は、図８および図９に示す従来の加湿機能付き温風機の場合と同様に吸湿性の良い繊維質の材料によって構成されており、その底面には水中で浮力を発生する加湿フィルタ用フロート２９が取り付け固定されている。また、加湿フィルタ２８は、加湿トレイ３０の上部に設けられた貫通孔３０aに挿通されて加湿トレイ３０内に設置されている。そして、加湿トレイ３０内に水がある場合には、加湿フィルタ用フロート２９に発生する浮力によって上昇して温風通風路２６内に位置する。一方、加湿トレイ３０内に水が無い場合には、加湿フィルタ用フロート２９には浮力が発生しないため下降して加湿トレイ３０内(つまり、温風通風路２６外)に位置する。このように、加湿フィルタ２８は、加湿トレイ３０内における水の有無によって、温風通風路２６に出没可能に構成されているのである。
【００３９】
上記構成を有する加湿機能付き温風機による温風運転時の動作について、図３を参照しつつ説明する。尚、図中における破線の矢印は、空気の流れる方向を示している。先ず、加湿トレイ３０内には加湿用の水は供給されていない。そのために、加湿フィルタ２８には加湿フィルタ用フロート２９の浮力が作用せず、加湿フィルタ２８は加湿トレイ３０内に収納されている。したがって、加湿フィルタ２８は温風通風路２６内に出てはいない。この状態において、送風ファン２３用のモータと温風ヒータ２４とに通電される。
【００４０】
そうすると、上記送風ファン２３が回転し、送風ファン２３によって室内空気吸込口２２から温風通風路２６内に導かれた室内空気は、温風ヒータ２４によって加熱され、そのまま温風吹出口２５から室内に放出される。こうして、適度な暖房効果が得られる。その際に、加湿トレイ３０内に水分は供給されていないため、室内に放出される温風から加湿効果は得られない。
【００４１】
また、本実施の形態においては、温風運転時には、温風通風路２６内に加湿フィルタ２８は存在しない。そのため、温風通風路２６内の通風抵抗は従来に比べて減少することになり、暖房効率が向上する。また、加湿フィルタ２８の清掃を怠った場合に付着する粉末状の水アカが、本体外に飛散するという問題も無くなるのである。さらに、上記繊維質の加湿フィルタ２８は、温風の影響を受けることがない。そのために、加湿フィルタ２８を耐熱仕様にする必要もなく、コストを削減することが可能である。
【００４２】
次に、加湿と暖房の併用運転時の動作について、図４を参照しつつ説明する。先ず、脱着可能になっている給水タンク３１に加湿用の水を入れ、加湿トレイ３０にセットする。これにより、給水タンク３１内の加湿用の水は加湿トレイ３０内に流入し、適度な水位となる。その際に、加湿フィルタ２８はその底面に固定された加湿フィルタ用フロート２９に作用する浮力によって水面上に浮かんだ状態となり、加湿トレイ３０内の水位に応じて加湿トレイ３０の上部に設けられた貫通孔３０aから温風通風路２６内に突出することになる。また、加湿フィルタ２８の下部は常時加湿トレイ３０内の水面に浸かるようになっている。したがって、毛細管現象によって繊維質の加湿フィルタ２８に水を供給することができ、図８に示すような従来の加湿機能付き温風機のごとく、加湿フィルタ給水用の給水ポンプ等を削減することができる。
【００４３】
この状態において、上記送風ファン２３用のモータと温風ヒータ２４とに通電する。送風ファン２３によって室内空気吸込口２２から温風通風路２６内に導かれた室内空気は、温風ヒータ２４によって加熱された後に温風通風路２６内に突出している加湿フィルタ２８を通過する。その際に、加湿フィルタ２８から気化した水分を多く含む湿った空気となり、温風吹出口２５から室内に放出される。こうして、適度な暖房効果と加湿効果とが得られるのである。
【００４４】
以上のごとく、本実施の形態においては、上記加湿フィルタ２８を、その底面には加湿フィルタ用フロート２９を取り付け固定すると共に、加湿トレイ３０の上部に設けられた貫通孔３０aに挿通されて加湿トレイ３０内に設置されるようにしている。したがって、温風運転時には、加湿フィルタ２８が加湿トレイ３０内に収納されるため温風通風路２６内の通風抵抗が減少し、暖房効率を向上できる。また、粉末状の水アカが本体外に飛散するのを防止し、加湿フィルタ２８の材質を耐熱仕様にする必要がなくコストを削減することができる。
【００４５】
・第２実施の形態
しかしながら、上記第１実施の形態における加湿機能付き温風機の場合には、加湿フィルタ用フロート２９の浮き沈みによって加湿フィルタ２８を温風通風路２６に出没可能に構成している。したがって、温風運転時には加湿トレイ３０内を空の状態にし、加湿と暖房との併用運転時には加湿トレイ３０内に給水する必要がある。そのために、ユーザは、選択的に２つの運転モードを切り換える際には、加湿トレイ３０に対して水を給排水する必要が生じ、面倒である。
【００４６】
本実施の形態における加湿機能付き温風機においては、加湿トレイ内に水を給水した状態の場合でも、フロート付き加湿フィルタを温風通風路内に出没可能に構成している。
【００４７】
図５〜図７は、本実施の形態の加湿機能付き温風機における概略構成を示す。図５〜図７において、温風装置４１,室内空気吸込口４２,送風ファン４３,温風ヒータ４４,温風吹出口４５,温風通風路４６,加湿装置４７,加湿フィルタ４８,加湿フィルタ用フロート４９,加湿トレイ５０および給水タンク５１は、上記第１実施の形態の加湿機能付き温風機における温風装置２１,室内空気吸込口２２,送風ファン２３,温風ヒータ２４,温風吹出口２５,温風通風路２６,加湿装置２７,加湿フィルタ２８,加湿フィルタ用フロート２９,加湿トレイ３０および給水タンク３１と同一である。
【００４８】
本実施の形態においては、上記温風通風路４６内に出没可能な加湿フィルタ４８を用途に応じて強制的に加湿トレイ５０内に移動させることが可能なソレノイド５２を、温風装置４１内における加湿トレイ５０に設けられた貫通孔５０aに対向する位置に取り付けられている。
【００４９】
上記ソレノイド５２の内部には、リング状の第１コイル５５と第２コイル５６とが設けられている。そして、第１,第２コイル５５,５６の中心穴には先端にプランジャ５３を有するシャフト５４が挿入されており、シャフト５４におけるプランジャ５３とは反対側の端部は、加湿フィルタ４８の天面に当接するようになっている。尚、ソレノイド５２のシャフト５４は、第１,第２コイル５５,５６に通電されない場合には、加湿フィルタ用フロート４９の浮力によって加湿フィルタ４８を介して押し上げられて、図５に示す最上位の位置に在るものとする。
【００５０】
上記構成において、温風運転時および温風と加湿との併用運転時における動作について説明する。
【００５１】
先ず、図５に示すように、上記ソレノイド５２には通電せずに加湿トレイ５０に給水した場合には、加湿フィルタ４８は、加湿フィルタ用フロート４９の浮力によって水面上に浮かんだ状態となる。したがって、加湿フィルタ４８は、加湿トレイ５０内の水位に応じて加湿トレイ５０の上部に設けられた貫通孔５０aから温風通風路４６内に突出することになる。すなわち、この状態においては、加湿フィルタ４８の大部分が温風通風路４６内に出ているため、温風ヒータ４４によって暖められた空気を送風することにより、十分な加湿効果が得られるのである。
【００５２】
次に、図６および図７に従って、上記加湿フィルタ４８における温風通風路４６内での段階的移動について説明する。図６において、加湿トレイ５０に給水した状態でソレノイド５２の第１コイル５５に通電する。そうすると、第１コイル５５により発生する磁力によってプランジャ５３が吸着されて、シャフト５４が図６に示す位置まで降下する。そうすると、シャフト５４によって、加湿フィルタ４８が加湿フィルタ用フロート４９の浮力に抗して押し下げられる。この状態においては、加湿フィルタ４８は、上側約半分の部分だけが温風通風路４６内に出ているため、温風ヒータ４４により暖められた空気を送風することによって、加湿フィルタ４８の大部分が温風通風路４６内に出ている図５に示す場合に比して、加湿能力は減少し、適度な加湿効果を得ることができるのである。
【００５３】
また、図７において、上記加湿トレイ５０に給水した状態でソレノイド５２の第２コイル５６に通電する。その場合には、第２コイル５６により発生する磁力によってプランジャ５３が吸着されて、シャフト５４が図７に示す位置まで降下する。そうすると、シャフト５４によって加湿フィルタ４８が押し下げられて加湿トレイ５０内に収納される。この場合には、加湿フィルタ４８の大部分は温風通風路４６内に存在しないため、温風ヒータ４４によって暖められた空気は加湿フィルタ４８による通風抵抗が無く、そのまま温風吹出口４５から室内に放出される。
【００５４】
以上のごとく、本実施の形態においては、上記加湿トレイ５０内には常時給水した状態にしておき、加湿フィルタ用フロート４９の浮力によって温風通風路４６内に出ようとする加湿フィルタ４８を加湿トレイ５０内に押し戻すソレノイド５２を設けている。したがって、ソレノイド５２を構成する２つの第１,第２コイル５５,５６に対する通電を制御することによって、加湿フィルタ４８の温風通風路４６内に出る量を変化させて、加湿効果の度合を変化させることができるのである。
【００５５】
また、上記温風運転時には、上記ソレノイド５２の第２コイル５６に通電するだけで、通風抵抗を無くして暖房効率を向上できる。したがって、加湿トレイ５０内の水を抜く等の面倒な操作を行う必要がない。
【００５６】
尚、上記構成に加えて、湿度センサ等を設けて室内湿度を検知し、上記加湿と暖房との併用運転時においては、検知した湿度に応じてソレノイド５２の動作を制御するように構成すれば、自動的に適度な加湿効果を得ることが可能になる。その際に、加湿トレイ５０に対する給水も、給水タンク５１を用いずに電動バルブを用いて行えば、更なる自動化を図ることができる。
【００５７】
また、上記第２実施の形態においては、上記加湿フィルタ４８の底面に加湿フィルタ用フロート４９を取り付け固定して、加湿フィルタ用フロート４９の浮力によってソレノイド５２のシャフト５４を上昇させるようにしている。しかしながら、加湿フィルタ用フロート４９を用いずに、ソレノイド５２内に設けられたバネの弾性力によってシャフト５４を上方に向って付勢すると共に、シャフト５４の先端に加湿フィルタ４８の天面を取り付け固定するようにしても差し支えない。
【００５８】
但し、その場合には、上記ソレノイド５２が加湿フィルタ４８を最上位に位置させるように動作を行っている際に、加湿トレイ５０内の水が抜けると、図８に示す従来の加湿機能付き温風機の場合と同様の問題が発生する。そこで、重力やバネによってシャフト５４を下方に付勢すると共に、ソレノイド５２に通電した場合には磁力によってシャフト５４を加湿フィルタ４８と共に上方に移動させるように構成する。そして、水位検知器を設けて、加湿トレイ５０内の水位が所定値以下の場合にはソレノイド５２への通電スイッチをオフにするようにしておけば、加湿トレイ５０内の水が少ない場合には、シャフト５４と加湿フィルタ４８とは自重や上記バネの弾性力によって自動的に加湿トレイ５０内に収納できるのである。
【００５９】
また、上記第２実施の形態においては、上記ソレノイド５２に２つの第１,第２コイル５５,５６を設けて加湿量を２段階に変更可能にしているが、コイル数を増やしてより繊細に変更可能にしても構わない。さらに、加湿フィルタ４８を加湿フィルタ用フロート４９の浮力に抗して垂直方向に移動させる移動手段としてソレノイド５２を用いているが、これに限定されるものではない。例えば、手動ハンドル等によって行っても差し支えない。但しその場合には、加湿の度合を自動的に変えることができないことは言うまでもない。
【００６０】
また、上記各実施の形態においては、加湿機能付き温風機を温風装置２１,４１と加湿装置２７,４７とに分離可能に構成しているが、非分離に構成しても一向に構わない。
【図面の簡単な説明】
【００６１】
【図１】この発明の加湿機能付き温風機における概略構成を示す断面図である。
【図２】図１に示す加湿機能付き温風機を温風装置と加湿装置とに分離した状態を示す図である。
【図３】図１に示す加湿機能付き温風機による温風運転時の動作説明図である。
【図４】図１に示す加湿機能付き温風機による加湿と暖房との併用運転時の動作説明図である。
【図５】図１とは異なる加湿機能付き温風機による加湿と暖房との併用運転時の動作説明図である。
【図６】図５よりも加湿能力を減少させた状態での動作説明図である。
【図７】図５および図７に示す加湿機能付き温風機による温風運転時の動作説明図である。
【図８】従来の加湿機能付き温風機における構成を示す断面図である。
【図９】図８に示す従来の加湿機能付き温風機を温風装置と加湿装置とに分離した状態を示す図である。
【図１０】図８に示す従来の加湿機能付き温風機による温風運転時の動作説明図である。
【図１１】図８に示す従来の加湿機能付き温風機による加湿と暖房との併用運転時の動作説明図である。
【符号の説明】
【００６２】
２１,４１…温風装置、
２２,４２…室内空気吸込口、
２３,４３…送風ファン、
２４,４４…温風ヒータ、
２５,４５…温風吹出口、
２６,４６…温風通風路、
２７,４７…加湿装置、
２８,４８…加湿フィルタ、
２９,４９…加湿フィルタ用フロート、
３０,５０…加湿トレイ、
３０a,５０a…貫通孔
３１,５１…給水タンク、
５２…ソレノイド、
５３…プランジャ、
５４…シャフト、
５５…第１コイル、
５６…第２コイル。
【図１】
2005055027.tif 000003
【図２】
2005055027.tif 000004
【図３】
2005055027.tif 000005
【図４】
2005055027.tif 000006
【図５】
2005055027.tif 000007
【図６】
2005055027.tif 000008
【図７】
2005055027.tif 000009
【図８】
2005055027.tif 000010
【図９】
2005055027.tif 000011
【図１０】
2005055027.tif 000012
【図１１】
2005055027.tif 000013